(57)【要約】【課題】本発明は、データの出力先の出力装置におけるデータの処理に使用する部材の劣化を考慮した出力先情報を提供する。【解決手段】データ処理制御システム１のデータ処理サーバＶｓは、出力先情報の要求をデータ処理要求受付機能部４３が受け付けると、機器通信機能部４２が、画像処理装置Ｇ１〜Ｇｎから該画像処理装置Ｇ１〜Ｇｎにおいてデータに基づく画像、データ等の出力に用いるインクカートリッジ、感光体ユニット等の部品の使用履歴情報を取得し、サーバ通信機能部４１が、画像処理装置Ｇ１〜Ｇｎにおける部品の寿命情報を取得する。データ処理サーバＶｓは、出力機能判定機能部４４が、使用履歴情報と寿命情報に基づいて出力先情報を生成し、機器通信機能部４２が、該出力先情報を要求元に提供する。【選択図】          図１
2015232790.tif 000002
【特許請求の範囲】
【請求項１】
複数の出力装置のうち、データの出力先となりうる出力装置に関する出力先情報を提供する出力先情報提供装置であって、
前記出力先情報の要求を受け付ける要求受付手段と、
前記出力装置から該出力装置において前記データに基づく物理資材の出力に用いる部材の使用履歴情報を取得する履歴情報取得手段と、
前記出力装置における前記部材の寿命情報を取得する寿命情報取得手段と、
前記使用履歴情報と前記寿命情報に基づいて前記出力先情報を生成する情報生成手段と、
前記出力先情報を該出力先情報の要求元に提供する情報提供手段と、
を備えていることを特徴とする出力先情報提供装置。
【請求項２】
前記寿命情報取得手段は、
前記寿命情報として、前記部材毎の最大交換回数と最大使用回数を取得し、
前記履歴情報取得手段は、
前記使用履歴情報として、前記部材毎の交換回数と交換後の使用回数を取得し、
前記情報生成手段は、
前記部材毎に、前記使用履歴情報の交換回数と前記寿命情報の最大交換回数から交換可能残回数を求めるとともに、前記使用履歴情報の使用回数と前記寿命情報の最大使用回数から使用可能残回数を求め、該交換可能残回数及び該使用可能残回数に基づいて前記出力先情報を生成することを特徴とする請求項１記載の出力先情報提供装置。
【請求項３】
前記出力先情報提供装置は、
前記出力先情報の要求元から前記出力先情報に基づく前記データの出力先の前記出力装置を指定する出力先指定情報を受け取る指定情報受付手段と、
前記出力先指定情報で指定されている前記出力装置へ前記データを出力するデータ出力手段と、
を備え、
前記要求受付手段は、
前記データの出力要求を前記出力先情報の要求として受け付けることを特徴とする請求項１または請求項２記載の出力先情報提供装置。
【請求項４】
前記寿命情報取得手段は、
前記使用履歴情報に対応する前記部材の寿命情報を前記寿命情報提供手段から取得することを特徴とする請求項１から請求項３のいずれかに記載の出力先情報提供装置。
【請求項５】
前記出力装置は、
画像データに基づいて、各種画像処理部材を前記部材として使用して前記物理資材として画像を出力する画像処理装置であることを特徴とする請求項１から請求項４のいずれかに記載の出力先情報提供装置。
【請求項６】
複数の出力装置のうち、データの出力先となりうる出力装置に関する出力先情報を提供する出力先情報提供システムであって、
前記出力先情報の要求を受け付ける要求受付手段と、
前記出力装置から該出力装置において前記データに基づく物理資材の出力に用いる部材の使用履歴情報を取得する履歴情報取得手段と、
前記出力装置における前記部材の寿命情報を提供する寿命情報提供手段と、
前記部材の寿命情報を取得する寿命情報取得手段と、
前記使用履歴情報と前記寿命情報に基づいて前記出力先情報を生成する情報生成手段と、
前記出力先情報を該出力先情報の要求元に提供する情報提供手段と、
を備えていることを特徴とする出力先情報提供システム。
【請求項７】
前記寿命情報取得手段は、
前記寿命情報として、前記部材毎の最大交換回数と最大使用回数を取得し、
前記履歴情報取得手段は、
前記使用履歴情報として、前記部材毎の交換回数と交換後の使用回数を取得し、
前記情報生成手段は、
前記部材毎に、前記使用履歴情報の交換回数と前記寿命情報の最大交換回数から交換可能残回数を求めるとともに、前記使用履歴情報の使用回数と前記寿命情報の最大使用回数から使用可能残回数を求め、該交換可能残回数及び該使用可能残回数に基づいて前記出力先情報を生成することを特徴とする請求項６記載の出力先情報提供システム。
【請求項８】
前記出力先情報提供システムは、
前記出力先情報に基づいて、前記データの出力先の前記出力装置を指定する出力先指定手段と、
前記出力先指定情報で指定されている前記出力装置へ前記物理資材を出力するデータ出力手段と、
を備え、
前記要求受付手段は、
前記データの出力要求を前記出力先情報の要求として受け付けることを特徴とする請求項６または請求項７記載の出力先情報提供システム。
【請求項９】
前記寿命情報取得手段は、
前記使用履歴情報に対応する前記部材の寿命情報を前記寿命情報提供手段から取得することを特徴とする請求項６から請求項８のいずれかに記載の出力先情報提供システム。
【請求項１０】
前記出力装置は、
画像データに基づいて、各種画像処理部材を前記部材として使用して前記物理資材として画像を出力する画像処理装置であることを特徴とする請求項６から請求項９のいずれかに記載の出力先情報提供システム。
【請求項１１】
複数の出力装置のうち、データの出力先となりうる出力装置に関する出力先情報を提供する出力先情報提供方法であって、
前記出力先情報の要求を受け付ける要求受付処理ステップと、
前記出力装置から該出力装置において前記データに基づく物理資材の出力に用いる部材の使用履歴情報を取得する履歴情報取得処理ステップと、
前記出力装置における前記部材の寿命情報を取得する寿命情報取得処理ステップと、
前記使用履歴情報と前記寿命情報に基づいて前記出力先情報を生成する情報生成処理ステップと、
前記出力先情報を前記出力先情報の要求元に提供する情報提供処理ステップと、
を有していることを特徴とする出力先情報提供方法。
【請求項１２】
複数の出力装置のうち、データの出力先となりうる出力装置に関する出力先情報を提供する出力先情報提供プログラムであって、
制御プロセッサに、
前記出力先情報の要求を受け付ける要求受付処理と、
前記出力装置から該出力装置において前記データに基づく物理資材の出力に用いる部材の使用履歴情報を取得する履歴情報取得処理と、
前記出力装置における前記部材の寿命情報を取得する寿命情報取得処理と、
前記使用履歴情報と前記寿命情報に基づいて前記出力先情報を生成する情報生成処理と、
前記出力先情報を該出力先情報の要求元に提供する情報提供処理と、
を実行させることを特徴とする出力先情報提供プログラム。
【発明の詳細な説明】
【技術分野】
【０００１】
本発明は、出力先情報提供装置、出力先情報提供システム、出力先情報提供方法及び出力先情報提供プログラムに関し、詳細には、印刷データ等のデータの出力先情報を提供する出力先情報提供装置、出力先情報提供システム、出力先情報提供方法及び出力先情報提供プログラムに関する。
【背景技術】
【０００２】
近年、ネットワーク化が進むのに伴って、ＬＡＮ（Local Area Network）等のネットワークを介して、複数のパーソナルコンピュータやワードプロセッサ等の情報処理装置とプリンタ装置、複写装置、複合装置等の複数の画像処理装置が接続されて、複数の情報処理装置が画像処理装置を共有して、利用することが行われている。また、ネットワーク上の各情報処理装置が、任意の画像処理装置を選択して画像処理を行わせるようになってきている。
【０００３】
そして、このような複数の画像処理装置を利用可能なシステムにおいて、画像処理装置を使用する場合、例えば、いずれの画像処理装置も空いている場合には、処理速度の速い画像処理装置が使用される傾向にあり、また、ユーザの近くに設置されている画像処理装置が使用される傾向にある。
【０００４】
これらの理由により、特定の画像処理装置に使用が偏ると、その画像処理装置の部品の磨耗、劣化等が促進されて、故障が発生する傾向が高まる。また、画像処理装置は、適正な利用を図るためには、品質保証として部材の交換回数の最大値が設定されており、また、使用回数に最大回数が設定されている。したがって、部材の交換回数が最大値に達すると、画像処理装置毎交換する必要が発生し、画像処理装置の利用効率が悪いという問題があった。
【０００５】
そして、従来、複数のプリンタと印刷依頼情報処理装置とプリンタ管理装置とがネットワークに接続されたプリンタシステムにおいて、印刷依頼情報処理装置は印刷データをプリンタ管理装置へ送信する手段を備え、プリンタ管理装置は、各プリンタの機能・性能・稼動状況（システム情報）を記憶する手段と、前記システム情報を元に１台あるいは複数台の印刷可能なプリンタを選択する手段と、印刷データに合わせ最適なプリンタに該印刷データを分配する手段を備えるプリンタシステムが提案されている（特許文献１参照）。
【０００６】
すなわち、この従来技術は、ネットワーク上の各プリンタのシステム情報に基づいて印刷可能なプリンタを選択し、印刷データに合わせて最適なプリンタに印刷データを分配して印刷させている。
【発明の概要】
【発明が解決しようとする課題】
【０００７】
しかしながら、上記公報記載の従来技術にあっては、単に、システム情報に基づいて印刷可能なプリンタを選択しているのみであるため、印刷データ等のデータを出力する出力装置を選択して、該出力装置の適切な利用を図る上で、改良の必要があった。
【０００８】
すなわち、従来技術では、出力装置の性能、機能、空き状況等を考慮して、出力先を選択することはできるが、特定の出力装置に出力が集中して部材の偏った劣化を抑制することができず、出力装置の均等利用を図って適切な利用を図る上で改良の必要があった。
【０００９】
そこで、本発明は、データの出力先の出力装置における該データの処理に使用する部材の劣化を考慮した出力先情報を提供することを目的としている。
【課題を解決するための手段】
【００１０】
上記目的を達成するために、請求項１記載の出力先情報提供装置は、複数の出力装置のうち、データの出力先となりうる出力装置に関する出力先情報を提供する出力先情報提供装置であって、前記出力先情報の要求を受け付ける要求受付手段と、前記出力装置から該出力装置において前記データに基づく物理資材の出力に用いる部材の使用履歴情報を取得する履歴情報取得手段と、前記出力装置における前記部材の寿命情報を取得する寿命情報取得手段と、前記使用履歴情報と前記寿命情報に基づいて前記出力先情報を生成する情報生成手段と、前記出力先情報を前記出力先情報の要求元に提供する情報提供手段と、を備えていることを特徴としている。
【発明の効果】
【００１１】
本発明によれば、データの出力先の出力装置における該データの処理に使用する部材の劣化を考慮した出力先情報を提供することができる。
【図面の簡単な説明】
【００１２】
【図１】本発明の一実施例を適用したデータ処理制御システムの全体構成図。
【図２】画像処理装置のブロック図。
【図３】データ処理サーバのブロック図。
【図４】データ処理サーバの機能ブロック図。
【図５】機種情報管理サーバのブロック図。
【図６】機種−部品情報管理テーブルの一例を示す図。
【図７】部品寿命管理テーブルの一例を示す図。
【図８】機種情報管理サーバの機能ブロック図。
【図９】出力先情報提供処理を伴う画像データ出力処理を示すフローチャート。
【図１０】寿命情報通知処理を示すフローチャート。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図１０は、本発明の出力先情報提供装置、出力先情報提供システム、出力先情報提供方法及び出力先情報提供プログラムの一実施例を示す図であり、図１は、本発明の出力先情報提供装置、出力先情報提供システム、出力先情報提供方法及び出力先情報提供プログラムの一実施例を適用したデータ処理制御システム１の全体構成図である。
【００１５】
図１において、データ処理制御システム（出力先情報提供システム）１は、データ処理システムＤＳと機器情報管理サーバＳｋがインターネットＩＮを介して接続されている。
【００１６】
データ処理システムＤＳは、企業や個人宅等に構築されているネットワークシステムである。データ処理システムＤＳは、ＬＡＮ（Local Area Network）、ＷＡＮ（Wide Area Network ）等のネットワークＮＷに、通信機器ＰＩ、データ処理サーバＳｖ、複数の画像処理装置Ｇ１〜Ｇｎ及びクライアント装置ＣＬ１〜ＣＬｍ等が接続されている。
【００１７】
通信機器ＰＩは、プロキシサーバまたはルータであり、ネットワークＮＷとインターネットＩＮとの通信を行う。
【００１８】
クライアント装置ＣＬ１〜ＣＬｍは、詳細には図示しないが、通常のハードウェア構成及びソフトウェア構成のコンピュータやワードプロセッサ等である。クライアント装置ＣＬ１〜ＣＬｍは、ＯＳ（Operating System）上に、文書作成ソフトウェア、図形作成ソフトウェア、表計算ソフトウェア、データベースソフトウェア、プリンタドライバ等の各種アプリケーションソフトウェアを搭載している。
【００１９】
クライアント装置ＣＬ１〜ＣＬｍは、これらのアプリケーションソフトウェアから画像処理命令、例えば、印刷命令が発行されると、プリンタドライバにより画像処理装置Ｇ１〜Ｇｎが解釈可能なＰＤＬ（Page Description Language）等の画像データを作成する。クライアント装置ＣＬ１〜ＣＬｍは、画像データに対して、各種画像処理設定操作、例えば、印刷設定操作が行われると、プリンタドライバは、該印刷設定情報を画像データとともに、ネットワークＮＷを介して、データ処理サーバＳｖにジョブ（データ）として送信する。すなわち、クライアント装置ＣＬ１〜ＣＬｍは、データの出力先となりうる出力装置である画像処理装置Ｇ１〜Ｇｎに関する出力先情報の要求を行う。また、クライアント装置ＣＬ１〜ＣＬｍは、この出力先情報の要求として、データ（ジョブ）をデータ処理サーバＶｓへ送信する。
【００２０】
クライアント装置ＣＬ１〜ＣＬｍは、このジョブの生成において、データ処理サーバＳｖに画像処理（例えば、印刷処理）に適した画像処理装置Ｇ１〜Ｇｎを選択するのに必要な情報である出力先情報の生成を要求する出力先情報要求を含める。
【００２１】
画像処理装置（出力装置）Ｇ１〜Ｇｎは、プリンタ装置、複合装置等の画像処理装置である。画像処理装置Ｇ１〜Ｇｎは、データとしての画像データ等を受け取って、部材（部品、ユニット等）を使用して、物理資材として、印刷用紙、転送データ等を出力する印刷出力処理、他の装置へのデータ転送処理等の画像処理を行う。なお、部品、ユニット等の部材を、適宜、部品という。
【００２２】
画像処理装置Ｇ１〜Ｇｎは、例えば、一般的に、図２に示すように、通信部１１、制御部１２、記憶部１３及びエンジン部１４等を備え、さらに、部品状態検出部１５を備えている。画像処理装置Ｇ１〜Ｇｎは、上記各部が、バス１６により接続されている。
【００２３】
通信部１１は、ネットワークＮＷに接続され、ネットワークＮＷを介して、他の装置、特に、データ処理サーバＳｖとの通信を行う。
【００２４】
記憶部１３は、ＲＯＭ（Read Only Memory）、ＲＡＭ（Random Access Memory）、ハードディスク等で構成され、画像処理装置Ｇ１〜Ｇｎの基本プログラム及び必要なシステムデータを格納しているとともに、各種データを記憶する。記憶部１３は、特に、画像データ及び後述する部品状態検出部１５の検出する部品の使用履歴情報を記憶する。
【００２５】
制御部１２は、ＣＰＵ（Central Processing Unit）等を備えており、記憶部１３のプログラムに基づいて画像処理装置Ｇ１〜Ｇｎの各部を制御して、画像処理装置Ｇ１〜Ｇｎとしての処理を実行する。また、制御部１２は、データ処理サーバＳｖからネットワークＮＷを介して部品の使用履歴情報要求があると、記憶部１３に記憶されている部品の使用履歴情報を、データ処理サーバＳｖに提供する履歴情報提供処理を行う。
【００２６】
エンジン部１４は、種々の部材（部品、ユニット等）を使用して各種画像処理するプリンタエンジン、スキャナエンジン、ファクシミリエンジン等を総称したものである。プリンタエンジンは、適宜のプリンタ方式（電子写真方式、インク吐出方式等）で画像データに基づいて用紙、フィルム等の被記録媒体（以下、適宜、用紙という。）に画像を形成するという画像処理を行う。スキャナエンジンは、原稿を主走査及び副走査して、原稿の画像を所定の解像度で読み取って画像データを出力するという画像処理を行う。ファクシミリエンジンは、相手ファクシミリ装置から送信されてくるファクシミリデータを受信して、プリンタエンジンで該ファクシミリデータに基づいて画像を形成出力する。また、ファクシミリエンジンは、スキャナエンジンの読み取った原稿の画像データを相手ファクシミリ装置にファクシミリ送信する。
【００２７】
エンジン部１４は、上記画像処理を行うのに、種々の部品を使用し、これらの部品は、画像処理を適切に行うために、予めその使用回数、交換回数等の使用量に上限値が設定されている。例えば、プリンタエンジンは、電子写真方式の場合、感光体、現像ユニット、転写ローラ、定着ユニット、用紙搬送ローラ等の種々の部品について、その使用量（使用回数、交換回数）の上限値（最大使用回数、最大交換回数）が、予め設定されている。
【００２８】
そして、部品状態検出部１５は、これらの部品の適切な使用を図るために、各部品の使用回数等の使用量を検出し、検出した使用量を制御部１２に出力する。なお、部品状態検出部１５は、エンジン部１４で画像処理に使用する消耗品以外の部品、例えば、感光体等の使用量を検出するだけでなく、消耗品、例えば、トナー、インク、用紙等についても、検出してもよい。
【００２９】
制御部１２は、部品状態検出部１５の検出した各部品の使用量を、記憶部１３に、部品の使用履歴情報として保管させる。制御部１２は、後述するデータ処理サーバＳｖから使用履歴情報の要求があると、記憶部１３内の使用履歴情報を提供する。
【００３０】
データ処理サーバ（出力先情報提供装置）Ｓｖは、通常のハードウェア構成及びソフトウェア構成のコンピュータ、サーバ等が用いられている。データ処理サーバＳｖは、例えば、図３に示すように、コントロール部２１、ハードディスク２２、メモリ２３、モニタ２４及び入力デバイス２５等を備えている。
【００３１】
ハードディスク２２は、大容量の不揮発性メモリであり、各クライアント装置ＣＬ１〜ＣＬｍから送られてきた画像データや該画像データに対するジョブ内容情報からなるジョブ等の各種データを記憶する。また、ハードディスク２２は、各画像処理装置Ｇ１〜Ｇｎから取得した部品の使用履歴情報を、画像処理装置Ｇ１〜Ｇｎ毎に記憶する。
【００３２】
メモリ２３は、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等である。メモリ２３は、各種データが格納される。
【００３３】
モニタ２４は、液晶ディスプレイ等が用いられ、データ処理サーバＳｖからユーザに通知する各種情報が表示される。
【００３４】
入力デバイス２５は、キーボード２５ａやマウス２５ｂ（図４参照）、また、モニタ２４がタッチパネル式モニタであるときのタッチパネル等が用いられ、ユーザから各種命令が入力操作される。
【００３５】
コントロール部２１は、ＣＰＵ３１、ＲＯＭ３２、ＲＡＭ３３、メモリＩ／Ｆ３４、通信Ｉ／Ｆ３５及び外部Ｉ／Ｆ３６等を備えており、各部は、バス３７に接続されている。
【００３６】
ＲＯＭ３２は、ＯＳ３８（図４参照）、データ処理サーバＳｖとしての基本プログラム、本発明の出力先情報提供プログラム等のプログラム及び必要なシステムデータ等が格納されている。
【００３７】
ＣＰＵ３１は、ＲＯＭ３２内のプログラムに基づいて、ＲＡＭ３３をワークメモリとして使用して、データ処理サーバＳｖの各部を制御してデータ処理サーバＳｖとしての基本機能を実施するとともに、本発明の出力先情報提供方法を実行する。
【００３８】
メモリＩ／Ｆ３４には、ハードディスク２２、メモリ２３が接続され、ＣＰＵ３１の制御下で、ハードディスク２２、メモリ２３へのデータの書き込み及び読み出しを行う。
【００３９】
通信Ｉ／Ｆ３５は、ネットワークＮＷに接続されており、ネットワークＮＷを介して画像処理装置Ｇ１〜Ｇｎ、クライアント端末ＣＬ１〜ＣＬｍ及び通信機器ＰＩと通信を行う。
【００４０】
外部Ｉ／Ｆ３６には、モニタ２４、入力デバイス２５が接続され、ＣＰＵ３１の制御下で、表示データのモニタ２４へ表示、入力デバイス２５からの入力データのＣＰＵ３１への出力を行う。
【００４１】
すなわち、データ処理サーバＳｖは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の出力先情報提供方法を実行する出力先情報提供プログラムを読み込んでＲＯＭ３２やハードディスク２２に導入することで、後述するデータの出力先の出力装置における部品の劣化を考慮した出力先情報を提供する出力先情報提供方法を実行する出力先情報提供装置として構築されている。この出力先情報提供プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００４２】
そして、データ処理サーバＳｖは、上記出力先情報提供プログラムが導入されることで、図４に示す機能ブロックが構築される。すなわち、データ処理サーバＳｖは、出力先情報提供プログラムが導入されることで、ＯＳ３８には、ネットワーク機構３８ａ、入力機構３８ｂ、表示機構３８ｃ及び記憶機構３８ｄ等が構築され、また、出力先情報提供機能部４０が構築される。そして、出力先情報提供機能部４０には、サーバ通信機能部４１、機器通信機能部４２、データ処理要求機能部４３及び出力機器判定機能部４４等が構築される。なお、本発明は、このデータ処理サーバＳｖの機能を、上記画像処理装置Ｇ１〜Ｇｎが搭載し、いわゆるサーバレス構成であってもよい。
【００４３】
ネットワーク機構３８ａは、通信Ｉ／Ｆ３５を制御して、ネットワークＮＷを介しての通信を実行し、入力機構３８ｂは、外部Ｉ／Ｆ３６を制御して、キーボード２５ａやマウス２５ｂでの入力操作内容を取得する。
【００４４】
表示機構３８ｃは、外部Ｉ／Ｆ３６を制御して、モニタ２４への表示データの表示を行わせる。
【００４５】
記憶機構３８ｄは、メモリＩ／Ｆ３４を制御して、ハードディスク（ＨＤＤ）２２、メモリ２３へのデータの書き込み及び読み出しを行う。
【００４６】
出力先情報提供機能部４０のサーバ通信機能部４１は、ＣＰＵ３１及び通信Ｉ／Ｆ３５によって構築され、ＯＳ３８のネットワーク機能３８ａを介して、通信機器ＰＩを通して、機種情報管理サーバＳｋと通信する。サーバ通信機能部４１は、機器情報管理サーバＳｋと通信することで、各部品（部材）の情報として、後述する部品の寿命情報を取得する。すなわち、サーバ通信機能部４１は、出力装置である画像処理装置Ｇ１〜Ｇｎにおける部品の寿命情報を取得する寿命情報取得処理を行い、寿命情報取得手段として機能する。
【００４７】
機器通信機能部４２は、ＣＰＵ３１及び通信Ｉ／Ｆ３５によって構築され、ＯＳ３８のネットワーク機能３８ａを介して、ネットワークＮＷ上の画像処理装置Ｇ１〜Ｇｎ及びクライアント装置ＣＬ１〜ＣＬｍと通信する。機器通信機能部４２は、画像処理装置Ｇ１〜Ｇｎと通信することで、画像処理装置Ｇ１〜Ｇｎから部品（部材）の情報として、上記部品の使用履歴情報を取得する。すなわち、機器通信機能部４２は、出力装置である画像処理装置Ｇ１〜Ｇｎから該画像処理装置Ｇ１〜Ｇｎにおいてデータに基づく印刷用紙や転送データ等の物理資材の出力に用いる部品の使用履歴情報を取得する履歴情報取得処理を行い、履歴情報取得手段として機能する。
【００４８】
機器通信機能部４２は、出力先情報の要求元であるクライアント装置ＣＬ１〜ＣＬｍから出力先情報に基づくデータの出力先の画像処理装置Ｇ１〜Ｇｎを指定する出力先指定情報を受け取る指定情報受付処理を行ない、指定情報受付手段として機能する。また、機器通信機能部４２は、前記出力先指定情報で指定されている画像処理装置Ｇ１〜Ｇｎへデータを出力するデータ出力処理を行い、データ出力手段として機能する。
【００４９】
データ処理要求機能部４３は、ＣＰＵ３１及び通信Ｉ／Ｆ３５によって構築され、ＯＳ３８のネットワーク機能３８ａを介して、ネットワークＮＷ上のクライアント装置ＣＬ１〜ＣＬｍと通信する。データ処理要求機能部４３は、クライアント装置ＣＬ１〜ＣＬｍと通信することで、クライアント装置ＣＬ１〜ＣＬｍから出力先情報の要求、データ処理要求、例えば、印刷要求、データ転送要求等を受け取る。データ処理要求機能部４３は、出力先情報の要求を受け付ける要求受付処理を行い、要求受付手段として機能する。
【００５０】
出力機器判定機能部４４は、ＣＰＵ３１によって構築され、取得した寿命情報と部品の使用履歴情報及びデータ処理要求内容に基づいて、データの出力先となりうる出力装置である画像処理装置Ｇ１〜Ｇｎに関する出力先情報を作成する。出力機器判定機能部４４は、作成した出力先情報を、機器通信機能部４２に渡して、機器通信機能部４２がクライアント装置ＣＬ１〜ＣＬｍへ出力先情報を送信する。すなわち、機器通信機能部４２は、出力先情報を該出力先情報の要求元であるクライアント装置ＣＬ１〜ＣＬｍに提供する情報提供処理を行い、情報提供手段として機能する。
【００５１】
クライアント装置ＣＬ１〜ＣＬｍは、出力先情報を受信すると、該出力先情報をディスプレイ等に表示出力する。クライアント装置ＣＬ１〜ＣＬｍは、出力先情報による出力先候補の画像処理装置Ｇ１〜Ｇｎが複数あるときには、ユーザによって、入力デバイスを使用して、出力先とする画像処理装置Ｇ１〜Ｇｎを指定する操作が行われる。また、クライアント装置ＣＬ１〜ＣＬｍは、出力先候補の画像処理装置Ｇ１〜Ｇｎが１つのときには、ユーザによって、入力デバイスを使用して、その画像処理装置Ｇ１〜Ｇｎを出力先とすることの許否の操作が行われる。
【００５２】
クライアント装置ＣＬ１〜ＣＬｍは、出力先の指定または許否の出力先指定情報をデータ処理サーバＳｖへ送信する。
【００５３】
出力機器判定機能部４４は、出力先の指定または許否の出力先指定情報が送られてくると、該出力先指定情報で出力先が決まっているときには、該出力先をデータの出力先と判定する。出力機器判定機能部４４は、該出力先指定情報で出力先が決まっていないときには、再度出力先候補の選択を行うか、出力不可等のエラー処理を行う。すなわち、出力機器判定機能部４４は、使用履歴情報と寿命情報に基づいて出力先情報を生成する情報生成処理を行い、情報生成手段として機能する。
【００５４】
出力機器判定機能部４４は、出力先が決まると、該出力先にクライアント装置ＣＬ１〜ＣＬｍから受け取った画像データを含むジョブを、機器通信機能部４２に送信させる。
【００５５】
そして、上記機種情報管理サーバ（寿命情報提供手段）Ｓｋは、通常のハードウェア構成及びソフトウェア構成のコンピュータ、サーバ等が用いられる。機種情報管理サーバＳｋは、例えば、図５に示すように、コントロール部５１、ハードディスク５２、メモリ５３、モニタ５４及び入力デバイス５５等を備えている。機種情報管理サーバＳｋは、例えば、画像処理装置Ｇ１〜Ｇｎのメーカサイト、サービスサイト等に設置されているサーバが用いられていてもよい。また、本実施例では、機種情報管理サーバＳｋは、インターネットＩＮを介してネットワークＮＷ外に接続されている場合が示されているが、ネットワークＮＷに接続されていてもよいし、その接続形態はどのような接続形態であってもよい。また、機種情報管理サーバＳｋは、データ処理サーバＳｖに組み込まれていてもよい。
【００５６】
ハードディスク５２は、大容量の不揮発性メモリであり、図６に示すような機種−部品情報管理テーブルＴＢ１、図７に示すような部品寿命管理テーブルＴＢ２を格納している。機種−部品情報管理テーブルＴＢ１は、図６に示すように、画像処理装置Ｇ１〜Ｇｎの機種毎に設定されている該画像処理装置Ｇ１〜Ｇｎの機種を特定する機種ＩＤと該機種の画像処理装置Ｇ１〜Ｇｎで用いられている部品を特定する部品ＩＤが登録されている。部品寿命管理テーブルＴＢ２は、図７に示すように、各部品ＩＤ毎に、その部品の最大使用回数と最大交換回数が登録されている。最大使用回数は、その部品が交換することなく適切な状態で使用できる最大の使用回数であり、最大交換回数は、その部品を交換して適切に使用することのできる最大の交換回数である。
【００５７】
メモリ５３は、フレキシブルディスク、ＣＤ−ＲＯＭ、ＣＤ−ＲＷ、ＤＶＤ、ＳＤカード、ＭＯ等であり、各種データが格納される。
【００５８】
モニタ５４は、液晶ディスプレイ等が用いられ、機種情報管理サーバＳｋからユーザに通知する各種情報が表示される。
【００５９】
入力デバイス５５は、キーボード５５ａやマウス５５ｂ（図８参照）、また、モニタ５４がタッチパネル式モニタであるときのタッチパネル等が用いられ、ユーザから各種命令が入力操作される。
【００６０】
コントロール部５１は、ＣＰＵ６１、ＲＯＭ６２、ＲＡＭ６３、メモリＩ／Ｆ６４、通信Ｉ／Ｆ６５及び外部Ｉ／Ｆ６６等を備えており、各部は、バス６７に接続されている。
【００６１】
ＲＯＭ６２は、ＯＳ６８（図８参照）、機種情報管理サーバＳｋとしての基本プログラム、本発明の出力先情報提供プログラムのうち、機種情報管理サーバＳｋが搭載すべき部分のプログラム等のプログラム及び必要なシステムデータ等が格納されている。
【００６２】
ＣＰＵ６１は、ＲＯＭ６２内のプログラムに基づいて、ＲＡＭ６３をワークメモリとして使用して、機種情報管理サーバＳｋの各部を制御して機種情報管理サーバＳｋとしての基本機能を実施する。また、ＣＰＵ６１は、本発明の出力先情報提供方法のうち機種情報管理サーバＳｋが実行すべき部分の処理を実行する。
【００６３】
メモリＩ／Ｆ６４には、ハードディスク５２、メモリ５３が接続され、ＣＰＵ６１の制御下で、ハードディスク５２、メモリ５３へのデータの書き込み及び読み出しを行う。
【００６４】
通信Ｉ／Ｆ６５は、インターネットＩＮに接続されており、インターネットＩＮを介してデータ処理システムＤＳの通信機器ＰＩと通信を行う。
【００６５】
外部Ｉ／Ｆ６６には、モニタ５４、入力デバイス５５が接続され、ＣＰＵ６１の制御下で、表示データのモニタ２４へ表示、入力デバイス２５からの入力データのＣＰＵ６１への出力を行う。
【００６６】
すなわち、機種情報管理サーバＳｋは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＳＤカード、ＭＯ等のコンピュータが読み取り可能な記録媒体に記録されている本発明の出力先情報提供方法を実行する出力先情報提供プログラムのうち機種情報管理サーバＳｋが実行すべき部分のプログラムを読み込んでＲＯＭ６２やハードディスク５２に導入することで、後述する物理資材の出力先の出力装置における部品の劣化を考慮した出力先情報を提供する出力先情報提供方法を実行する出力先情報提供装置の機能を備えたデータ処理サーバに寿命情報を提供する寿命情報提供手段として構築されている。この出力先情報提供プログラムのうち、寿命情報提供手段の機能を実行する部分のプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００６７】
そして、機種情報管理サーバＳｋは、上記出力先情報提供プログラムのうち、寿命情報提供手段の機能を実行する部分のプログラムが導入されることで、図８に示す機能ブロックが構築される。すなわち、機種情報管理サーバＳｋは、出力先情報提供プログラムのうち、寿命情報提供手段の機能を実行する部分のプログラムが導入されることで、ＯＳ６８には、ネットワーク機構６８ａ、入力機構６８ｂ、表示機構６８ｃ及び記憶機構６８ｄ等が構築され、また、機種情報管理部７０が構築される。そして、機種情報管理部７０には、クライアント通信機能部７１、機種情報検索機能部７２、データベース管理機能部７３及び機種情報管理データベース（ＤＢ）７４等が構築される。
【００６８】
ネットワーク機構６８ａは、通信Ｉ／Ｆ６５を制御して、インターネットＩＮを介しての通信を実行し、入力機構６８ｂは、外部Ｉ／Ｆ６６を制御して、キーボード５５ａやマウス５５ｂでの入力操作内容を取得する。
【００６９】
表示機構６８ｃは、外部Ｉ／Ｆ６６を制御して、モニタ５４への表示データの表示を行わせる。
【００７０】
記憶機構６８ｄは、メモリＩ／Ｆ６４を制御して、ハードディスク（ＨＤＤ）５２、メモリ５３へのデータの書き込み及び読み出しを行う。
【００７１】
機種情報管理部７０のクライアント通信機能部７１は、ＣＰＵ６１及び通信Ｉ／Ｆ６５によって構築され、ＯＳ６８のネットワーク機能６８ａを介して、データ処理システムＤＳのデータ処理サーバＳｖと通信する。クライアント通信機能部７１は、データ処理システムＤＳのデータ処理サーバＳｖと通信することで、各画像処理装置Ｇ１〜Ｇｎの機種ＩＤを受け取り、後述するように、該機種ＩＤに対応する部品（部材）の寿命情報を提供する。
【００７２】
機種情報検索機能部７２は、ＣＰＵ６１によって構築され、クライアント通信機能部７１が受け取った機種ＩＤに基づいて、データベース管理機能部７３に、検索要求を出力する。
【００７３】
機種情報管理データベース７４は、ハードディスク５２内に構築され、上記機種−部品情報管理テーブルＴＢ１及び部品寿命管理テーブルＴＢ２が登録されている。
【００７４】
データベース管理機能部７３は、機種情報検索機能部７２から検索要求された機種ＩＤに基づいて機種情報管理データベース７４を検索して、機種ＩＤに対応する全ての部品の寿命情報を取得して機種情報検索機能部７２へ渡す。
【００７５】
機種情報検索機能部７２は、受け取った寿命情報をクライアント通信機能部７１へ渡し、クライアント通信機能部７１は、受け取った寿命情報を、インターネットＩＮを介してデータ処理システムＤＳのデータ処理サーバＳｖへ送信する。
【００７６】
次に、本実施例の作用を説明する。本実施例のデータ処理制御システム１は、データの出力先の画像処理装置Ｇ１〜Ｇｎにおける部品の劣化を考慮した出力先情報を提供する。
【００７７】
データ処理制御システム１は、データ処理システムＤＳと機種情報管理サーバＳｋがインターネットＩＮを介して接続されており、データ処理システムＤＳは、データ処理サーバＳｖ、クライアント装置ＣＬ１〜ＣＬｍ及び画像処理装置Ｇ１〜Ｇｎ等を備えている。
【００７８】
データ処理システムＤＳは、クライアント装置ＣＬ１〜ＣＬｍからデータ処理要求をジョブとしてデータ処理サーバＳｖへ送り、データ処理サーバＳｖが、該ジョブを実行させるのに適した画像処理装置Ｇ１〜Ｇｎを、該画像処理装置Ｇ１〜Ｇｎの部品の劣化を考慮して判定する。データ処理サーバＳｖは、判定した画像処理装置Ｇ１〜Ｇｎを出力先情報として、ジョブを送信してきたクライアント装置ＣＬ１〜ＣＬｍに出力する。クライアント装置ＣＬ１〜ＣＬｍは、出力先情報が送られてくると、該出力先情報をディスプレイ等に表示して、ユーザによって指定された出力先の画像処理装置Ｇ１〜Ｇｎを示す出力先指定情報をデータ処理サーバＳｖへ送信する。
【００７９】
データ処理サーバＳｖは、出力先指定情報を受け取ると、ジョブを該出力先指定情報で指定されている画像処理装置Ｇ１〜Ｇｎへ送信して、処理させる。
【００８０】
すなわち、データ処理サーバＳｖは、クライアント装置ＣＬ１〜ＣＬｍから画像処理要求を受け取ると、図９に示すように、出力先情報提供処理を伴う画像データ出力処理を行う。なお、以下の説明では、説明を明確化するために、画像処理要求として、印刷要求を行う場合について説明するが、データ処理要求としては、印刷要求に限るものではなく、データ転送要求等であってもよい。
【００８１】
データ処理サーバＳｖは、クライアント装置ＣＬ１〜ＣＬｍから印刷要求が送られてくると、機器通信機能部４２が、該印刷要求を受信し、データ処理要求受付機能部４３が受け取る（ステップＳ１０１）。
【００８２】
機器通信機能部４２は、印刷要求を受け取ると、ネットワークＮＷに接続されている全ての画像処理装置Ｇ１〜Ｇｎと通信して、全ての画像処理装置Ｇ１〜Ｇｎの機器情報及び部品の使用履歴情報を取得して、出力機器判定機能部４４へ渡す（ステップＳ１０２）。この機器情報は、画像処理装置Ｇ１〜Ｇｎの機種であり、部品の使用履歴情報は、上述のように、画像処理装置Ｇ１〜Ｇｎの主要部品の使用回数、交換回数等の使用量である。
【００８３】
データ処理サーバＳｖは、サーバ通信機能部４１が、ネットワークＮＷ上の全ての画像処理装置Ｇ１〜Ｇｎの機種ＩＤを機種情報管理サーバＳｋへ送信して、部品寿命を要求する。機種情報管理サーバＳｋは、部品寿命の要求があると、送られてきた機種ＩＤの部品寿命情報をデータ処理システムＤＳへ送信する。サーバ通信機能部４１は、部品寿命情報が送られてくると、該部品寿命情報を受け取って出力機器判定機能部４４へ渡す（ステップＳ１０３）。なお、データ処理サーバＳｖは、サーバ通信機能部４１が、機種情報管理サーバＳｋから受信した部品寿命情報をハードディスク２２等に格納して、該部品寿命情報を有効活用してもよい。すなわち、データ処理サーバＳｖは、ネットワークＮＷに接続されている画像処理装置Ｇ１〜Ｇｎに変化がないときには、印刷要求が発生した都度、機種情報管理サーバＳｋから部品寿命情報を取得することなく、ハードディスク２２等に格納されている部品寿命情報を利用するようにしてもよい。
【００８４】
出力機器判定機能部４４は、印刷要求の内容、部品の使用履歴情報及び部品寿命情報に基づいて、印刷要求を適切に処理することができるとともに、画像処理装置Ｇ１〜Ｇｎの部品の劣化を考慮して、印刷要求を実行させる候補としての画像処理装置Ｇ１〜Ｇｎを判定する。出力機器判定機能部４４は、印刷要求実行先として判定した所定数（１つ以上）の画像処理装置Ｇ１〜Ｇｎに関する出力先情報を作成する（ステップＳ１０４）。
【００８５】
出力機器判定機能部４４は、作成した出力先情報を、機器通信機能部４２に渡して、機器通信機能部４２が、印刷要求してきたクライアント装置ＣＬ１〜ＣＬｍへ出力先情報を送信する（ステップＳ１０５）。
【００８６】
クライアント装置ＣＬ１〜ＣＬｍは、出力先情報が送られてくると、ディスプレイに該出力先情報を表示して、ユーザに出力先の選択を行わせる。クライアント装置ＣＬ１〜ＣＬｍは、出力先の画像処理装置Ｇ１〜Ｇｎが選択されると、出力先の指定または許否の出力先指定情報をデータ処理サーバＳｖへ送信する。
【００８７】
出力機器判定機能部４４は、出力先の指定または許否の出力先指定情報が送られてくると、該出力先指定情報で出力先が決まっているときには、該出力先をデータの出力先と判定する。出力機器判定機能部４４は、該出力先指定情報で出力先が決まっていないときには、再度出力先候補の選択を行うか、出力不可等のエラー処理を行う。
【００８８】
出力機器判定機能部４４は、出力先が決まると、該出力先にクライアント装置ＣＬ１〜ＣＬｍから受け取った画像データを含むジョブを、機器通信機能部４２に送信させる（ステップＳ１０６）。
【００８９】
そして、機種情報管理サーバＳｋは、図１０に示すように、データ処理サーバＳｖからインターネットＩＮを介して機種ＩＤが送られてくると、クライアント通信機能部７１が該機種ＩＤを受け取って機種情報検索機能部７２に渡す（ステップＳ２０１）。
【００９０】
機種情報検索機能部７２は、クライアント通信機能部７１が受け取った機種ＩＤに基づいて、データベース管理機能部７３に、検索要求を出力する。
【００９１】
データベース管理機能部７３は、機種情報検索機能部７２から検索要求された機種ＩＤに基づいて機種情報管理データベース７４を検索して、機種ＩＤに対応する全ての部品の寿命情報を取得して機種情報検索機能部７２へ渡す（ステップＳ２０２）。
【００９２】
機種情報検索機能部７２は、受け取った寿命情報をクライアント通信機能部７１へ渡し、クライアント通信機能部７１は、受け取った寿命情報を、インターネットＩＮを介してデータ処理システムＤＳのデータ処理サーバＳｖへ送信する（ステップＳ２０３）。
【００９３】
このように、本実施例のデータ処理制御システム１は、そのデータ処理サーバＶｓが、複数の出力装置である画像処理装置Ｇ１〜Ｇｎのうち、データの出力先となりうる画像処理装置Ｇ１〜Ｇｎに関する出力先情報を提供するデータ処理サーバ（出力先情報提供装置）Ｓｖであって、前記出力先情報の要求を受け付けるデータ処理要求受付機能部（要求受付手段）４３と、前記画像処理装置Ｇ１〜Ｇｎから該画像処理装置Ｇ１〜Ｇｎにおいて前記データに基づく画像、データ等の物理資材の出力に用いるインクカートリッジ、感光体ユニット等の部品（部材）の使用履歴情報を取得する機器通信機能部（履歴情報取得手段）４２と、前記画像処理装置Ｇ１〜Ｇｎにおける前記部品の寿命情報を取得するサーバ通信機能部（寿命情報取得手段）４１と、前記使用履歴情報と前記寿命情報に基づいて前記出力先情報を生成する出力機能判定機能部（情報生成手段）４４と、前記出力先情報を該出力先情報の要求元に提供する機器通信機能部（情報提供手段）４２と、を備えている。
【００９４】
したがって、印刷出力、データ転送出力等を依頼する出力装置である画像処理装置Ｇ１〜Ｇｎを決定するに際して、データの出力先の画像処理装置Ｇ１〜Ｇｎにおける該データの処理に使用する部品の劣化を考慮した出力先情報を提供することができる。その結果、画像処理装置Ｇ１〜Ｇｎの有効利用を図ることができる。
【００９５】
また、本実施例のデータ処理制御システム１は、複数の画像処理装置（出力装置）Ｇ１〜Ｇｎのうち、データの出力先となりうる画像処理装置Ｇ１〜Ｇｎに関する出力先情報を提供する出力先情報提供システムであって、前記出力先情報の要求を受け付けるデータ処理要求受付機能部（要求受付手段）４３と、前記画像処理装置Ｇ１〜Ｇｎから該画像処理装置Ｇ１〜Ｇｎにおいて前記データに基づく画像、データ等の物理資材の出力に用いる部品（部材）の使用履歴情報を取得する機器通信機能部（履歴情報取得手段）４２と、前記画像処理装置Ｇ１〜Ｇｎにおける前記部品の寿命情報を提供する機種情報管理サーバ（寿命情報提供手段）Ｓｋと、前記寿命情報を取得するサーバ通信機能部（寿命情報取得手段）４１と、前記使用履歴情報と前記寿命情報に基づいて前記出力先情報を生成する出力機器判定機能部（情報生成手段）４４と、前記出力先情報を該出力先情報の要求元に提供する機器通信機能部（情報提供手段）４２と、を備えている。
【００９６】
したがって、印刷出力、データ転送出力等を依頼する出力装置である画像処理装置Ｇ１〜Ｇｎを決定するに際して、データの出力先の画像処理装置Ｇ１〜Ｇｎにおける該データの処理に使用する部品の劣化を考慮した出力先情報を提供することができる。その結果、画像処理装置Ｇ１〜Ｇｎの有効利用を図ることができる。
【００９７】
さらに、本実施例のデータ処理制御システム１は、複数の画像処理装置（出力装置）Ｇ１〜Ｇｎのうち、データの出力先となりうる画像処理装置Ｇ１〜Ｇｎに関する出力先情報を提供する出力先情報提供方法であって、前記出力先情報の要求を受け付ける要求受付処理ステップと、前記画像処理装置Ｇ１〜Ｇｎから該画像処理装置Ｇ１〜Ｇｎにおいて前記データに基づく画像、データ等の物理資材の出力に用いる部品（部材）の使用履歴情報を取得する履歴情報取得処理ステップと、前記画像処理装置Ｇ１〜Ｇｎにおける前記部品の寿命情報を取得する寿命情報取得処理ステップと、前記使用履歴情報と前記寿命情報に基づいて前記出力先情報を生成する情報生成処理ステップと、前記出力先情報を前記出力先情報の要求元に提供する情報提供処理ステップと、を有する出力先情報提供方法を実行している。
【００９８】
したがって、印刷出力、データ転送出力等を依頼する出力装置である画像処理装置Ｇ１〜Ｇｎを決定するに際して、データの出力先の画像処理装置Ｇ１〜Ｇｎにおける該データの処理に使用する部品の劣化を考慮した出力先情報を提供することができる。その結果、画像処理装置Ｇ１〜Ｇｎの有効利用を図ることができる。
【００９９】
また、本実施例のデータ処理制御システム１は、複数の画像処理装置（出力装置）Ｇ１〜Ｇｎのうち、データの出力先となりうる画像処理装置Ｇ１〜Ｇｎに関する出力先情報を提供する出力先情報提供プログラムであって、ＣＰＵ等の制御プロセッサに、前記出力先情報の要求を受け付ける要求受付処理と、前記画像処理装置Ｇ１〜Ｇｎから該画像処理装置Ｇ１〜Ｇｎにおいて前記データに基づく画像、データ等の物理資材の出力に用いる部品（部材）の使用履歴情報を取得する履歴情報取得処理と、前記画像処理装置Ｇ１〜Ｇｎにおける前記部品の寿命情報を取得する寿命情報取得処理と、前記使用履歴情報と前記寿命情報に基づいて前記出力先情報を生成する情報生成処理と、前記出力先情報を該出力先情報の要求元に提供する情報提供処理と、を実行させる出力先情報提供プログラムを搭載している。
【０１００】
したがって、印刷出力、データ転送出力等を依頼する出力装置である画像処理装置Ｇ１〜Ｇｎを決定するに際して、データの出力先の画像処理装置Ｇ１〜Ｇｎにおける該データの処理に使用する部品の劣化を考慮した出力先情報を提供することができる。その結果、画像処理装置Ｇ１〜Ｇｎの有効利用を図ることができる。
【０１０１】
さらに、本実施例のデータ処理システム１は、前記サーバ通信機能部（寿命情報取得手段）４１が、前記寿命情報として、前記部品（部材）毎の最大交換回数と最大使用回数を取得し、前記機器通信機能部（履歴情報取得手段）４２が、前記使用履歴情報として、前記部品（部材）毎の交換回数と交換後の使用回数を取得し、前記機器通信機能部（情報提供手段）４２が、前記部品（部材）毎に、前記使用履歴情報の交換回数と前記寿命情報の最大交換回数から交換可能残回数を求めるとともに、前記使用履歴情報の使用回数と前記寿命情報の最大使用回数から使用可能残回数を求め、該交換可能残回数及び該使用可能残回数に基づいて前記出力先情報を生成する。
【０１０２】
したがって、各画像処理装置Ｇ１〜Ｇｎの部品の劣化状態を正確に判断して、データの出力先の画像処理装置Ｇ１〜Ｇｎに関する出力先情報を生成して提供することができ、画像処理装置Ｇ１〜Ｇｎの有効利用をより一層適切に図ることができる。
【０１０３】
また、本実施例のデータ処理システム１は、前記データ処理サーバ（出力先情報提供装置）Ｖｓが、前記出力先情報の要求元から前記出力先情報に基づく前記データの出力先の前記画像処理装置Ｇ１〜Ｇｎを指定する出力先指定情報を受け取る機器通信機能部（指定情報受付手段）４２と、前記出力先指定情報で指定されている前記画像処理装置Ｇ１〜Ｇｎへ前記データを出力する機器通信機能部（データ出力手段）４２と、を備え、前記データ処理要求受付機能部（要求受付手段）４３が、前記データの出力要求を前記出力先情報の要求として受け付ける。
【０１０４】
したがって、データを受け取ることを出力先情報の要求として、データの出力先の画像処理装置Ｇ１〜Ｇｎにおける該データの処理に使用する部品の劣化を考慮した出力先情報を提供することができる。その結果、画像処理装置Ｇ１〜Ｇｎの有効利用を効率的に図ることができる。
【０１０５】
さらに、本実施例のデータ処理システム１は、サーバ通信機能部（寿命情報取得手段）４１が、前記使用履歴情報に対応する前記部品（部材）の寿命情報を前記機種情報管理サーバ（寿命情報提供手段）Ｓｋから取得する。
【０１０６】
したがって、短時間に必要な寿命情報のみを取得して、データの出力先の画像処理装置Ｇ１〜Ｇｎにおける該データの処理に使用する部品の劣化を考慮した出力先情報を提供することができる。その結果、画像処理装置Ｇ１〜Ｇｎの有効利用を効率的に図ることができる。
【０１０７】
また、本実施例のデータ処理システム１は、前記出力装置が、画像データに基づいて、各種画像処理部材を前記部材として使用して前記物理資材として画像を出力する画像処理装置Ｇ１〜Ｇｎである。
【０１０８】
したがって、画像処理におけるデータの出力先の画像処理装置Ｇ１〜Ｇｎにおける部品の劣化を考慮した出力先情報を生成して提供することができ、画像処理における画像処理装置Ｇ１〜Ｇｎの有効利用を図ることができる。
【０１０９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１０】
１  データ処理制御システム
ＤＳ  データ処理システム
ＮＷ  ネットワーク
ＰＩ  通信機器
Ｓｖ  データ処理サーバ
Ｇ１〜Ｇｎ  画像処理装置
１１  通信部
１２  制御部
１３  記憶部
１４  エンジン部
１５  部品状態検出部
２１  コントロール部
２２  ハードディスク
２３  メモリ
２４  モニタ
２５  入力デバイス
２５ａ  キーボード
２５ｂ  マウス
３１  ＣＰＵ
３２  ＲＯＭ
３３  ＲＡＭ
３４  メモリＩ／Ｆ
３５  通信Ｉ／Ｆ
３６  外部Ｉ／Ｆ
３７  バス
３８  ＯＳ
３８ａ  ネットワーク機構
３８ｂ  入力機構
３８ｃ  表示機構
３８ｄ  記憶機構
４０  出力先情報提供機能部
４１  サーバ通信機能部
４２  機器通信機能部
４３  データ処理要求機能部
４４  出力機器判定機能部
ＣＬ１〜ＣＬｍ  クライアント装置
Ｓｋ  機器情報管理サーバ
５１  コントロール部
５２  ハードディスク
５３  メモリ
５４  モニタ
５５  入力デバイス
５５ａ  キーボード
５５ｂ  マウス
６１  ＣＰＵ
６２  ＲＯＭ
６３  ＲＡＭ
６４  メモリＩ／Ｆ
６５  通信Ｉ／Ｆ
６６  外部Ｉ／Ｆ
６７  バス
６８  ＯＳ
６８ａ  ネットワーク機構
６８ｂ  入力機構
６８ｃ  表示機構
６８ｄ  記憶機構
７０  機種情報管理部
７１  クライアント通信機能部
７２  機種情報検索機能部
７３  データベース管理機能部
７４  機種情報管理データベース
ＩＴ  インターネット
ＴＢ１  機種−部品情報管理テーブル
ＴＢ２  部品寿命管理テーブル
【先行技術文献】
【特許文献】
【０１１１】
【特許文献１】特開２０００−２５９３７５号公報
【図１】
2015232790.tif 000003
【図２】
2015232790.tif 000004
【図３】
2015232790.tif 000005
【図４】
2015232790.tif 000006
【図５】
2015232790.tif 000007
【図６】
2015232790.tif 000008
【図７】
2015232790.tif 000009
【図８】
2015232790.tif 000010
【図９】
2015232790.tif 000011
【図１０】
2015232790.tif 000012